(57)【要約】【課題】携帯電話本体に対してディスプレー部が装着された携帯電話カバーを横方向に往復移動させるための携帯電話用スライドヒンジモジュールを提供すること。【解決手段】本体に対し、ディスプレー部が装着されたカバーを横方向に往復移動させる携帯電話用スライドヒンジモジュールは、本体の前面に固定される固定プレートと、カバーの背面に固定される移動プレートと、移動プレートの一側に横方向に具備されるガイドレールと、ガイドレールに対応結合して、ガイドレールに沿って往復移動し、固定プレートの一側に固定されるスライド部材と、移動プレートの一側に一端がヒンジ結合され、他端は固定プレートの一側にヒンジ結合され、移動プレートと固定プレートとの間に弾性力を提供する弾性組立体とを含み、弾性組立体は移動プレートの前面に設置されて、外観上露出されない。【選択図】図２
2010121774.tif 000002
【特許請求の範囲】
【請求項１】
本体に対してディスプレー部が装着されたカバーを横方向に往復移動させる携帯電話用スライドヒンジモジュールにおいて、
上記本体の前面に固定される固定プレート、
上記カバーの背面に固定される移動プレート、
上記移動プレートの一側に横方向に具備されるガイドレール、
上記ガイドレールに対応結合して、上記ガイドレールに沿って往復移動し、上記固定プレートの一側に固定されるスライド部材、
上記移動プレートの一側に一端がヒンジ結合され、他端は上記固定プレートの一側にヒンジ結合され、上記移動プレートと上記固定プレートとの間に弾性力を提供する弾性組立体を含み、
上記弾性組立体は、上記移動プレートの前面に設置され、外観上露出されない、携帯電話用スライドヒンジモジュール。
【請求項２】
上記スライド部材は、上記固定プレートの上下両側に一つずつ一対が結合され、上記ガイドレールは、上記移動プレートの上下両側に一つずつ一対が具備されている、請求項１に記載の携帯電話用スライドヒンジモジュール。
【請求項３】
上記弾性組立体は、一対で具備されて上下対称されるように配置されている、請求項１に記載の携帯電話用スライドヒンジモジュール。
【請求項４】
上記ガイドレールが収容結合されるように、上記移動プレートの上下両側にガイドレール収容溝が各々具備され、上記ガイドレール収容溝の一側には長さ方向にカイドホールが切欠き形成されている、請求項１ないし３の何れか一項に記載の携帯電話用スライドヒンジモジュール。
【請求項５】
上記弾性組立体は、上記カバーと上記移動プレートとの間に設置され、上記弾性組立体の一端は、上記移動プレートの前面中央部にヒンジ結合され、他端は、上記カイドホールを通じて、前方に露出される上記スライド部材の一側にヒンジ結合されている、請求項４に記載の携帯電話用スライドヒンジモジュール。
【請求項６】
上記弾性組立体は、互いに対向されるように結合して一対で形成され、両端には固定具が貫通形成される弾性本体と、上記一対の弾性本体内側に位置して、上記一対の弾性本体が互いに遠ざかるようにするスプリングと、上記スプリングが上記弾性本体内側に留まるように支持する支持枠とから成り、
上記弾性本体各々は、一側にスライドバーが形成され、他側にスライド溝が形成されて互いにスライド結合されている、請求項１に記載の携帯電話用スライドヒンジモジュール。
【請求項７】
上記スプリングは、コイルスプリングであり、上記支持枠を中心に両分されて成り、
上記支持枠は、両分された上記スプリングの境界を形成する境界部と、上記境界部両側で上記弾性本体のスライド方向に長く延長形成されて上記スプリングに挿入され、上記スプリングを支持する支持ロードから成る、請求項６に記載の携帯電話用スライドヒンジモジュール。
【発明の詳細な説明】
【技術分野】
【０００１】
本発明は、携帯電話用スライドヒンジモジュールに関し、より詳細には、携帯電話本体に対してディスプレー部が装着された携帯電話カバーを横方向に往復移動させるための携帯電話用スライドヒンジモジュールに関する。
【背景技術】
【０００２】
無線通信技術の発展に従い、携帯電話も多様な機能を持つようになったし、その種類においても、フリップ方式(flip-type)、フォルダ方式(folder-type)、スライド方式(slide-type)等で多様である。
【０００３】
また、今日において、携帯電話は音声通信だけでなく、Eメール(e-mail)、インターネット接続、写真撮影、ゲームなど多様な機能を提供していて、このような多様で複合的な機能を効果的に活用するために、個人用コンピュータのキーボードのようにクワーティ(QWERTY)キーボード配列のキーパッドを内蔵した携帯電話が発売されている。
【０００４】
ここで、クワーティキーボードは、その形態が縦長さより横長さがさらに長く形成されているので、従来上下にカバーがスライドされながら本体の数字キーパッドを開閉した携帯電話と異なって、左右方向にスライド移動してクワーティキーボードを開閉することになる。
【０００５】
この時、カバーをスライド移動させるため、カバーの一側に外力を加えているが、カバーが左右にスライド移動する方向を長さ方向から見ると、長さに比べて、相対的にカバーの幅が広いので、ヒンジ点を中心としてカバーが回転して歪みながら、損傷が発生する危険がある。
【０００６】
そして、最近では携帯電話を所持していない人がいないほど携帯電話の普及率が増加していて、携帯電話の選択において多様な機能だけでなく、携帯電話の外形的なデザインもまた重要な要素として作用している。
【０００７】
ところで、多くの個数で配列されているクワーティキーボードを露出させるためには、携帯電話の相当部分がスライド開閉されなければならなく、この時、このような携帯電話のスライド動作時、半自動動作を可能にするため設置されたスプリング装置が、携帯電話の裏面を通じて、一部露出されて、美観上良くない場合がある。
【０００８】
したがって、これを防止するために、カバーが完全に開放された時、カバーと本体が重なる部分にスプリング装置が隠されるようにカバーのスライド移動距離を制限することになるが、これにより、従来の場合、クワーティキーボードは最大4列形態が一般的であったし、スプリング装置の厚さのため、本体とカバーとの間にギャップ(gap)が発生して、遊動による損傷危険もある。
【０００９】
また、多様な機能を保有した携帯電話と映像や絵を現わす画像部大きさの拡大に対する要求に従い、最近では携帯電話自体の大きさが比較的大きくなっており、重さもまた増加していて、このような携帯電話に適用できるスライド装置が必要である。
【００１０】
合わせて、従来のように、スプリングヒンジとしてトーションスプリングを採用した場合、組み立てと分解が不便だったり、長時間使用時、トーションスプリングのコイル部に異質物が流入されることで、スライド感が低下され、酷い場合には、使用が不可能になる問題があり、圧縮スプリングを装着したスプリングケーシングを使う場合には、1ピースのケースあるいは2ピースの上下ケースを適用して、圧縮スプリングの離脱を防止するので、スプリングケーシングの厚さ増加によって、端末機のスリム(slim)化に制約を受けることになり、部品が追加されることによって組み立て工程数が増加される問題がある。
【発明の概要】
【発明が解決しようとする課題】
【００１１】
本発明は、上述したような問題点に対応して案出されたものであって、本発明の一実施例は本体に対して、ディスプレー部が装着されたカバーを横方向に往復移動させる携帯電話用スライドヒンジモジュールにおいて、本体の前面に固定される固定プレート、カバーの背面に固定される移動プレート、移動プレートの一側に横方向に具備されるガイドレール、ガイドレールに対応結合して、ガイドレールに沿って往復移動し、固定プレートの一側に固定されるスライド部材、および移動プレートの一側に一端がヒンジ結合され、他端は固定プレートの一側にヒンジ結合されて、移動プレートと固定プレートとの間に弾性力を提供する弾性組立体を含んでいるが、弾性組立体は移動プレートの前面に設置されて、外観上露出されないことを特徴とし、カバーのスライド移動距離を最大化する一方、組み立て工程単純化に従う費用節減と、耐久性向上および感性品質向上の効果がある携帯電話用スライドヒンジモジュールと関連される。
【課題を解決するための手段】
【００１２】
本発明の一実施例によると、本発明の一実施例は、本体に対してディスプレー部が装着されたカバーを横方向に往復移動させる携帯電話用スライドヒンジモジュールにおいて、本体の前面に固定される固定プレート、カバーの背面に固定される移動プレート、移動プレートの一側に横方向に具備されるガイドレール、ガイドレールに対応結合して、ガイドレールに沿って往復移動し、固定プレートの一側に固定されるスライド部材、および移動プレートの一側に一端がヒンジ結合され、他端は固定プレートの一側にヒンジ結合されて、移動プレートと固定プレートとの間に弾性力を提供する弾性組立体を含んでいるが、弾性組立体は移動プレートの前面に設置されて、外観上露出されないことを特徴とする携帯電話用スライドヒンジモジュールが提供される。
【００１３】
この時、スライド部材は、固定プレートの上下両側に一つずつ一対が結合され、ガイドレールは、移動プレートの上下両側に一つずつ一対が具備され、弾性組立体は一対で具備されて、上下対称されるように配置される。
【００１４】
また、ガイドレールが収容結合されるように、移動プレートの上下両側にガイドレール収容溝が各々具備され、ガイドレール収容溝の一側には長さ方向にガイドホールが切欠き形成される。
【００１５】
この時、弾性組立体は、カバーと移動プレートとの間に設置されているが、弾性組立体の一端は、移動プレートの前面中央部にヒンジ結合され、他端は、カイド溝を通じて、前方に露出されるスライド部材の一側にヒンジ結合される。
【００１６】
ここで、弾性組立体は、互いに対向されるように結合して、一対で成り、両端には固定具が貫通形成される弾性本体と、一対の弾性本体内側に位置して、一対の弾性本体が互いに遠ざかるようにするスプリングと、スプリングが弾性本体内側に留まるように支持する支持枠とから構成されていて、弾性本体各々は一側にスライドバーが形成され、他側にスライド溝が形成されて、互いにスライド結合されることを特徴とする。
【００１７】
また、スプリングはコイルスプリングであり、支持枠を中心に両分されて構成され、支持枠は両分されたスプリングの境界を形成する境界部と、境界部両側で弾性本体のスライド方向に長く延長形成されて、スプリングに挿入され、スプリングを支持する支持ロードで構成される。
【発明の効果】
【００１８】
本発明の一実施例による携帯電話用スライドヒンジモジュールによれば、携帯電話の上下両側にガイドレールとスライド部材が各々設置されて、一対で構成されることによって、本体に対してカバーが横方向すなわち、左右にスライド移動する時、カバーのゆがみが防止されることによって携帯電話の耐久性が向上される効果がある。
【００１９】
また、従来移動プレートと固定プレートとの間にスプリングまたは弾性組立体が設置されることによって、携帯電話の背面側でスプリングまたは弾性組立体が外観上露出されたり、このような露出を防止するためにはカバーのスライド移動距離を制限しなければならなかった問題点を改善して、移動プレートとカバーとの間に弾性組立体を設置することによって、カバーのスライド移動距離を増やしながらも、弾性組立体が外観上露出されないようにして、消費者の機能的デザイン的要求を満足させ、感性品質を向上させた。
【００２０】
合わせて、従来スプリングまたは弾性組立体の設置空間によって、カバーと本体の間に発生したギャップ(gap)を最小化して、美観向上と携帯電話のスリム化に寄与することができ、組み立て工程が単純であって、製作費用節減の効果がある。
【図面の簡単な説明】
【００２１】
【図１】本発明の一実施例により携帯電話用スライドヒンジモジュールが適用される携帯電話の分解斜視図。
【図２】本発明の一実施例による携帯電話用スライドヒンジモジュールの分解斜視図。
【図３ａ】本発明の一実施例による携帯電話用スライドヒンジモジュールの正面図。
【図３ｂ】本発明の一実施例による携帯電話用スライドヒンジモジュールの背面図。
【図４】本発明の一実施例による弾性組立体の斜視図。
【図５】本発明の一実施例による弾性組立体の分解斜視図。
【図６】本発明の一実施例による携帯電話用スライドヒンジモジュールの作動状態図。
【発明を実施するための形態】
【００２２】
以下、本発明の一実施例による携帯電話用スライドヒンジモジュールの望ましい実施例を添付した図面を参照して説明することにする。この過程で図面に示された線等の厚さや構成要素の大きさなどは、説明の明瞭性と便宜上、誇張に示されている場合がある。
【００２３】
また、後述する用語等は、本発明での機能を考慮して定義された用語であって、これは使用者、運用者の意図または慣例により変わることができる。したがって、このような用語等に対する定義は、本明細書全般にわたった内容を土台にして下すべきである。
【００２４】
合わせて、以下の実施例は、本発明の権利範囲を限定するのではなく、本発明の請求範囲に提示された構成要素の例示的な事項に過ぎなく、本発明の明細書全般にわたった技術思想に含まれ、請求範囲の構成要素で均等物として置換可能な構成要素を含む実施例は本発明の権利範囲に含まれることができる。
【実施例】
【００２５】
図1は、本発明の一実施例により携帯電話用スライドヒンジモジュールが適用される携帯電話の分解斜視図、図2は、本発明の一実施例による携帯電話用スライドヒンジモジュールの分解斜視図、図3は、本発明の一実施例による携帯電話用スライドヒンジモジュールの正面図と背面図、図4は、本発明の一実施例による弾性組立体の斜視図、図5は、本発明の一実施例による弾性組立体の分解斜視図、図6は、本発明の一実施例による携帯電話用スライドヒンジモジュールの作動状態図である。
【００２６】
そして、図1ないし図6に対し、説明する過程で理解を助けるため、携帯電話の本体でカバーを眺める方向を前方、カバー側で本体を眺める方向を後方として、本明細書上で任意に規定することにする。
【００２７】
図1ないし図3に示されたように、本発明の一実施例による携帯電話用スライドヒンジモジュール100は、携帯電話本体10に対して、ディスプレー部21が装着されたカバー20を横方向に往復移動させることによって、携帯電話本体10に装着されたクワーティ(QWERTY)キーボード11を開閉することができるようにするためである。
【００２８】
ここで、本発明の一実施例による携帯電話用スライドヒンジモジュール100は、大いに固定プレート200と移動プレート300および弾性組立体400を含んでいて、図1に示されたように固定プレート200は、クワーティキーボード11が装着された本体10の前面に固定され、移動プレート300は、ディスプレー部21が装着されたカバー20の背面に固定される。
【００２９】
この時、図2に示されたように、移動プレート300には、ガイドレール500が具備され、固定プレート200には、スライド部材600が具備されて、スライド部材600がガイドレール500に沿ってスライド移動可能に結合されることによって、移動プレート300が固定プレート200に対して往復移動可能になり、クワーティキーボード11を使うために、カバー20を本体10に対して移動させる場合、移動プレート300の背面が外部に露出する。
【００３０】
この時、弾性組立体400は、移動プレート300の前面すなわち、カバー20と移動プレート300との間に設置されて、固定プレート200に対して移動プレート300が半自動にスライド移動できるように弾性力を提供することになり、弾性組立体400とカバー20の間にはカバープレート700が設置されて、カバー20の剛性を補強する一方、カバー20内部に設置される他部品によって、弾性組立体400の動きが邪魔されないようにする。
【００３１】
このように、本発明の一実施例による弾性組立体400は、移動プレート300とカバー20との間に設置されることによって、移動プレート300と固定プレート200との間に設置された従来のものとは異なって、カバー20を移動させて本体10のクワーティキーボード11を最大限開放しても弾性組立体400が外観上露出されないので、顧客の美的要求を満足させることができ、異質物による弾性組立体400の誤作動を防止することができる。
【００３２】
また、移動プレート300により弾性組立体400が覆われることによって、弾性組立体400の外部露出を憂慮する必要がないので、従来のものより本体10に対してカバー20がより遠く移動されるように構成することができ、これによって、従来の4列クワーティキーボードより長さがさらに長い5列クワーティキーボード11の設置も可能であって、より便利に携帯電話を使うことができる。
【００３３】
移動プレート300には、上下に各々一つずつ、一対のガイドレール収容溝310が横方向に長く形成されていて、このガイドレール収容溝310にガイドレール500が各々収容結合され、ガイドレール収容溝310の一側にはガイドレール収容溝310の長さ方向にガイドホール311が切欠き形成される。
【００３４】
このガイドホール311は、移動プレート300の前面に設置される弾性組立体400が移動プレート300の背面に設置された後述するスライド部材600とヒンジ結合できるように、スライド部材600の一部分を移動プレート300の前面に露出させる役割をする一方、カバー20の開閉時、弾性組立体400の回動により弾性組立体400とスライド部材600のヒンジ結合部が移動する方向を案内する役割もする。
【００３５】
移動プレート300の中央部には、若干の間隔を隔てて互いに対向するように一対のヒンジ孔320が上下に形成され、このヒンジ孔320には、各々弾性組立体400の一端がリベットピン321によってヒンジ結合され、一対の弾性組立体400が互いに対称されるように上下に設置される。
【００３６】
一方、移動プレートの一側に具備される貫通孔330は、カバープレートの切り欠け部710と対応して形成され、本体10とカバー20を連結するケーブル(未図示)等が貫通する通路である。
【００３７】
固定プレート200の前面一側には、上下に各々一つずつ、一対のスライド部材収容溝210が形成され、このスライド部材収容溝210にスライド部材600が各々収容結合される。
【００３８】
したがって、ガイドレール500とスライド部材600の厚さが各々移動プレート300のガイドレール収容溝310と固定プレート200のスライド部材収容溝210により吸収されることによって、携帯電話のスリム化に寄与することになる。
【００３９】
また、携帯電話の縦方向(長さ方向)両側に各々一つずつ、一対でガイドレール500とスライド部材600が横方向に設置されて、安定的に支持されることによって、カバー20を本体10に対して横方向(幅方向)にスライド移動させる時、カバー20が歪みながら、損傷が発生する危険を防止することができる。
【００４０】
ここで、図2に示されたように、ガイドレール500の両側には外側に'Ｌ'字形態に折り曲げられたレール部510が形成され、スライド部材600の両側には、内側に'コ'字形態に折り曲げられた掛かり部610が形成されていて、スライド部材600の掛かり部610がガイドレール500のレール部510に対応結合されることによって、スライド部材600がガイドレール500に沿ってスライド移動できるようになる。
【００４１】
この時、掛かり部610の内側には、合成樹脂材質の潤滑材620が挿入されることが望ましいが、この潤滑材620は、ガイドレール500とスライド部材600の接触による騒音と摩耗発生を防止する役割をする。
【００４２】
また、スライド部材600の一側の掛かり部610の中央には、ヒンジ孔611aを有したヒンジ部611が突出形成されていて、このヒンジ部611がガイドホール311を通じて、移動プレート300の前面に露出され、スライド部材600のヒンジ孔611aに後述する弾性組立体400の他端がリベットピン611bによりヒンジ結合される。
【００４３】
すなわち、図3に示されたように、弾性組立体400の一端は、移動プレート300のヒンジ孔320にヒンジ結合され、弾性組立体400の他端は、スライド部材600のヒンジ部611に設けられたヒンジ孔611aにヒンジ結合されるものであって、ガイドレール500が移動プレート300のガイドレール収容溝310に収容されながら、ガイドレール500に結合されたスライド部材600の掛かり部610がガイドホール311を通じて、移動プレート300の前面に露出されるので、移動プレート300の前面に弾性組立体400が設置された状態で弾性組立体400の他端が移動プレート300の背面に設置されたスライド部材600のヒンジ孔611aにヒンジ結合されることが可能になる。
【００４４】
合わせて、使用上の便宜のため、使用者が外力を加えて、移動プレート300がどの程度移動することになれば、これ以上、力を加えなくても左右どちらか一つの方向に半自動に移動するようにする必要があり、弾性組立体400がこのような役割をすることになる。
【００４５】
この時、弾性組立体400は、移動プレート300が固定プレート200の左側または右側に留まるように弾性力を提供し、死点(dead point)を除いて本体10のクワーティキーボード11が完全に開放されたり完全に閉鎖された状態にのみ置かれるように作用する。
【００４６】
前述したように、本発明の一実施例による携帯電話用スライドヒンジモジュール100で、弾性組立体400は一対で具備されて、上下に対称されるように設置されていて、携帯電話の中心で左右を結ぶ線を基準として、上下に対称されるように設置される。
【００４７】
この時、本発明の一実施例による携帯電話は上下に長く形成されていて、弾性組立体400が一つで具備される場合には、次のような問題点を誘発する。
【００４８】
弾性組立体400は、カバー20と本体10が単純にスライド作動するのではなく、半自動作動可能に作用する手段である。したがって、弾性組立体400は、半自動作動のため、カバー20と本体10との間に相互弾性力が作用されるようにする。
【００４９】
この時、弾性組立体400でカバー20と本体10に連結される二つの地点はスライディング方向と同一線上で形成されることはできなく、一側が他側の上側または下側に位置するように設置される。
【００５０】
したがって、弾性組立体400が一つだけ形成される場合には、弾性組立体400でカバー20または本体10に連結される部分、またはスライディング作動するようにガイドするガイドの部分において、均一な荷重が伝達されるようにするのが困る。この場合、相互スライディングされるある部分に集中的な荷重が伝達されることができ、このような点は、携帯電話の破損の原因になり得る。
【００５１】
本発明の一実施例によれば、弾性組立体400を上下に対称されるように形成して、携帯電話がスライディング開閉時、弾性組立体400の連結の部分、または相互スライディングされる部分に作用する荷重が上下に均等に分配されるようにすることによって、このような問題点を防止することができる。
【００５２】
本発明の一実施例による弾性組立体400は、移動プレート300の前面に設置される。通常的に、スライドヒンジモジュールの構造の単純化をするため、弾性組立体400に該当する構成は、移動プレート300に該当する構成の背面、言い換えると、移動プレート300に該当する構成と固定プレート200に該当する構成の間に位置されているが、このような場合、弾性組立体400の作動のための空間が必要である。
【００５３】
すなわち、弾性組立体400が移動プレート300の背面に位置するならば、カバー20と本体10は、密着された状態でスライド作動されるので、移動プレート300の背面に弾性組立体400の作動が遂行されるための陥没部が形成されなければならない。
【００５４】
このように形成された陥没部は、携帯電話がスライディング開放されて、移動プレート300の背面が露出される場合、外部に露出されて、携帯電話のスマ―トな外形の提供を困難にし、粗雑に見えることができ、陥没部が形成された隙間を通じて、外部の異質物が浸透することによって、携帯電話の故障が誘発されることもできる。
【００５５】
本発明の一実施例による弾性組立体400は、移動プレート300の前面に設置されることによって、移動プレート300の背面に別途の弾性組立体400の作動空間を設ける必要がないので、前述した問題点を予防することができる。 
【００５６】
図4は、本発明の一実施例による弾性組立体を図示した斜視図である。本発明の一実施例による携帯電話用スライドヒンジモジュール100で、弾性組立体400は、互いに対向されるように結合して、一対で成る弾性本体410と、一対の弾性本体410内側に位置して、一対の弾性本体410が互いに遠ざかるようにするスプリング420と、スプリング420が弾性本体410内側に留まるように支持する支持枠430とから構成されているが、弾性本体410各々は、一側にスライドバー411が形成され、他側にスライド溝412が形成されて互いにスライド結合される。
【００５７】
ここで、弾性本体410の一端には各々移動プレート300のヒンジ孔320またはスライド部材600のヒンジ孔611aとリベットピン321、611bによって結合される固定具413が貫通形成される。
【００５８】
また、弾性本体410は両分されて、二つの部分に分かれて構成され、相互結合されて弾性本体410を形成する。弾性本体410中、一つには一側にスライドバー411が形成され、他側にスライド溝412が形成され、他の一つの弾性本体410にもスライドバー411とスライド溝412が対応されるように形成される。すなわち、一つの弾性本体410が他の一つの弾性本体410とスライド結合されるようにスライドバー411およびスライド溝412が対応されるように形成される。
【００５９】
弾性本体410がスライドされながら、弾性組立体400の全体的な長さが可変的に形成されることができる。弾性本体410は両側で、一対のスライドバー411およびスライド溝412が互いに支持されて作用するので、より安定的にスライドできる。
【００６０】
この時、弾性組立体400には、弾性本体410のスライド方向以外に、携帯電話のスライド方向にも外力が作用するが、このような外力は、持続的に作用する時、弾性組立体400に無理があり得る。本発明の一実施例による弾性組立体400は、ガイドされる部分を弾性本体410両側に形成されるようにして、より安定した作用を期待することができ、さらに弾性組立体400二つが具備されるようにして携帯電話に加わる外力をより効果的に分散させることができる。
【００６１】
スプリング420は、一対の弾性本体410内側に位置して、弾性本体410が両側に押し出されるように作用し、支持枠430は、スプリング420を支持して、スプリング420が弾性本体410の外部に離脱されることを防止する。
【００６２】
弾性本体410には、移動プレート300のヒンジ孔320およびスライド部材600のヒンジ孔611aとヒンジ結合されるように固定具413が形成される。一対の弾性本体410には、固定具413が二つ形成され、一つの弾性本体410は移動プレート300に、他の一つの弾性本体410はスライド部材600にヒンジ結合される。
【００６３】
固定具413は、弾性組立体400が移動プレート300およびスライド部材600にヒンジ結合されて、回動する全区間で弾性本体410の最上側または最下側に位置されるように形成されることが望ましい。すなわち、弾性本体410の長さ方向の両側端部がある程度尖るように形成されたり、全体的に菱形形状で形成されて、弾性本体410の長さ方向両側端部に固定具413が形成される。
【００６４】
一方、上述したように、移動プレート300の貫通孔330とカバープレート700の切り欠け部710は、本体10とカバー20を連結するケーブルなどが貫通する通路であり、これは必須構成要素である。弾性組立体400が回動しながら、貫通孔330または切り欠け部710を通るケーブルなどと干渉が起きると携帯電話のスライディング開閉が困るので、弾性組立体400の回動時、貫通孔330または切り欠け部710を通らないように注意して、弾性組立体400を設置する必要がある。
【００６５】
図5は、本発明の図4で示した弾性組立体の分解斜視図である。本発明の望ましい実施例による携帯電話用スライドヒンジモジュール100でスプリング420は、コイルスプリングであり、支持枠430を中心として両分されて構成され、支持枠430は、両分されたスプリング420の境界を形成する境界部431と、境界部431両側で弾性本体410のスライド方向に長く延長形成されて、スプリング420に挿入され、スプリング420を支持する支持ロード432で構成される。
【００６６】
スプリング420は、コイルスプリング420で形成され、望ましく複数個で形成されて、弾性本体410内部に位置する。コイルスプリング420は、弾性復原力が非常に優秀で、弾性組立体400に弾性力を提供するに適合する。スプリング420はその直径が弾性本体410の厚さより大きくないように形成される。スプリング420は、弾性本体410のように、両分されて形成され、スプリング420は、支持枠430によって、弾性本体410と連結する。
【００６７】
支持枠430は、中央に境界部431が形成され、境界部431の両側でスプリング420に挿入される支持ロード432が形成される。支持ロード432は、スプリング420が離脱されることを防止し、その端部は、弾性本体410の挿入ホール414に挿入される。挿入ホール414は、弾性本体410を貫通して形成され、スプリング420が圧縮された状態では、支持ロード432の端部の一部が弾性本体410外に突出されることになる。
【００６８】
本発明の一実施例による携帯電話用スライドヒンジモジュール100の作動は図6に示された通りである。図6は、本発明の一実施例によるスライドヒンジモジュールの使用状態図であって、より詳細に、図6(a)は、カバーによって本体が完全に覆われている状態、図6(b)は、カバーが本体の一側に移動しながら、本体のキーボード一部が外部に露出される状態、図6(c)は、カバーが本体の一側に移動を完了した状態を示したものであって、携帯電話の前面から見た時、カバーの本体に対する移動状態を示したものであることをあらかじめ知らせておく。
【００６９】
携帯電話用スライドヒンジモジュール100を使う前の状態すなわち、カバー20によって、本体10が完全に覆われた状態で、弾性組立体400は両端が各々移動プレート300とスライド部材600に固定されて、図6(a)に図示されたように、両側弾性本体410が最大限広がった状態に、ななめに移動プレート300の前面に位置する。
【００７０】
この時、使用者がカバー20を本体10の左側に押すと、移動プレート300が固定プレート200に対して左側にスライド移動することになり、弾性組立体400両側弾性本体410が窄みながら回転し、スプリング420は圧縮されて、弾性力が保持される。
【００７１】
以後、カバー20を続いて押して弾性組立体400の両側固定具413が図6(b)に示されたように垂直線上に位置される瞬間、スプリング420にかかる圧縮力は最高値に到達することになり、ここでカバー20をさらに押すと、スプリング420の弾性回復力によって、両側弾性本体410が急激に広がりながら、弾性組立体400が回転し、カバー20が左側に早く押し出されることになる。
【００７２】
カバー20を本体10方向に閉じる場合には、上述した過程が逆に進行され、図6で、黒い矢印はスライド部材600の移動方向を示し、白い矢印はカバー20と移動プレート300の移動方向を示す。
【符号の説明】
【００７３】
10    本体
20    カバー
100    携帯電話用スライドヒンジモジュール
200    固定プレート
300    移動プレート
400    弾性組立体
500    ガイドレール
600    スライド部材
700    カバープレート
【図１】
2010121774.tif 000003
【図２】
2010121774.tif 000004
【図３ａ】
2010121774.tif 000005
【図３ｂ】
2010121774.tif 000006
【図４】
2010121774.tif 000007
【図５】
2010121774.tif 000008
【図６】
2010121774.tif 000009